(57)【要約】  【課題】  揺らぎのある光をも出射でき、しかも装置厚さが薄くまた壁面などに容易に取り付けられるようにする。  【解決手段】  正面壁２１が前側に突出した曲面形状で、液体が充填される水槽２と、正面視において水槽２の外周に設けられた蛍光灯３ａ，３ｂと、水槽２を保持する筺体１とを設ける。ここで、所望の光度を維持しながら装置を薄く得る観点から、正面視において、水槽２の両外側部に蛍光灯３ａ，３ｂを設けるのが望ましい。【選択図】      図１
2005347093.tif 000002
【特許請求の範囲】
【請求項１】
正面壁が前側に突出した曲面形状をなし、液体が充填される水槽と、正面視において前記水槽の外周に設けられた光源と、前記水槽を保持する筺体とを備えたことを特徴とする照明装置。
【請求項２】
正面視において前記光源が前記水槽の両外側部に設けられている請求項１記載の照明装置。
【請求項３】
壁面に取り付けるための取り付け部が前記筺体に形成されている請求項１又は２記載の照明装置。
【請求項４】
床面に立設するための台座をさらに備え、この台座と接続するための係合部が前記筺体に形成されている請求項１〜３のいずれかに記載の照明装置。
【請求項５】
起泡器をさらに備え、前記水槽に充填された液体中に泡を生じさせる請求項１〜４のいずれかに記載の照明装置。
【請求項６】
前記水槽の背面壁外側に背景画又は反射部材を取り付けるための空間が形成されている請求項１〜５のいずれかに記載の照明装置。
【発明の詳細な説明】
【技術分野】
【０００１】
本発明は照明装置に関し、より詳細には水槽を備えた照明装置に関するものである。
【背景技術】
【０００２】
照明装置の光源の色彩や輝度、あるいは取付位置、直接・間接などの照明方式などを種々組み合わせることによって、居住空間を演出し快適性を向上させることがこれまでから行われてきた。しかし、従来の照明装置で可能な演出には自ずから限界があった。
【０００３】
そこで例えば特許文献１では照明装置に液体容器を取り付け、容器内を対流する液体中を光が透過するようにし、揺らぎのある光を出射する技術が提案されている。
【特許文献１】特開平１１−９６８１１号公報（特許請求の範囲、図１〜図６）
【発明の開示】
【発明が解決しようとする課題】
【０００４】
しかし上記提案された技術では、液体容器の背面側に照明装置を配置するので装置の厚みが厚くなる。また、天井面や壁面に埋め込む場合には大規模な取り付け工事が必要となり、設置場所を容易に変更できないという問題もある。
【０００５】
本発明はこのような従来の問題に鑑みてなされたものであり、その目的とするところは、揺らぎのある光を出射でき、しかも装置厚さが薄くまた壁面などに容易に取り付けられる照明装置を提供することにある。
【課題を解決するための手段】
【０００６】
本発明によれば、正面壁が前側に突出した曲面形状で、液体が充填される水槽と、正面視において前記水槽の外周に設けられた光源と、前記水槽を保持する筺体とを備えたことを特徴とする照明装置が提供される。
【０００７】
ここで、所望の光度を維持しながら装置を薄くする観点から、正面視において、水槽の両外側部に光源を設けるのが望ましい。
【０００８】
また壁面に取り付けるための取り付け部を筺体に形成するのが好ましい。
【０００９】
そしてまた床面に立設して使用できるように台座をさらに設け、この台座と接続するための係合部を筺体に形成するのが望ましい。
【００１０】
また水槽から出射する光に一層の揺らぎを与えるために、起泡器を設けて水槽に充填された液体中に泡を生じさせてもよい。
【００１１】
さらに装飾性を向上させる観点から、水槽の背面壁外側に背景画又は反射部材を取り付けるための空間を形成してもよい。
【発明の効果】
【００１２】
本発明の照明装置では、光源から放射された光が水槽内の液体を通り抜けて前面方向に出射するので、照明光として揺らぎのあるものが得られる。また光源を水槽の外周に設けているので装置の厚さを薄くできる。また装置の厚さを薄くできたことにより壁面などに容易に取り付けることができるようになる。さらに水槽の正面壁を前側に突出した曲面形状としたので、水槽からの出射光に光度分布ができ、これにより照明装置によって居住空間を演出する際の選択肢が広がる。
【００１３】
正面視において水槽の両外側部に光源を設けると、所望の光度を維持しながら装置を薄くできる。
【００１４】
また壁面に取り付けるための取り付け部を筺体に形成すると、照明装置を壁面に容易に取り付けることができ、部屋の模様替えや気分転換などのため照明装置の取付位置を簡単に変えることができる。また台座と、この台座と接続するための係合部を筺体に形成すると、照明装置を床面に立設して使用することもできるようになる。
【００１５】
起泡器を設けて水槽に充填された液体中に泡を生じさせると、視覚的な美観をさらに与えることができる。
【００１６】
水槽の背面壁外側に背景画又は反射部材を取り付けるための空間を形成すると、装飾性や照明光量などを向上させることができる。
【発明を実施するための最良の形態】
【００１７】
以下、本発明の転倒防止装置について図に基づいて説明する。なお、本発明はこれらの実施形態に何ら限定されるものではない。
【００１８】
図１に、本発明に係る照明装置の一実施形態を示す斜視図、図２に正面図を示す。この図の照明装置は、直方体形状の箱体１１の正面開口に、中央部が若干後方に湾曲した、前記正面開口よりも大きなカバー１２が取り付けられてなる筺体１と、カバー１２の中央部に形成された開口部１２１に着脱可能に取り付けられる水槽２とを備える。そして図２に示すように、箱体１１内における、水槽２の両外側部には蛍光灯（光源）３ａ，３ｂが配設され、その下側にはコンセント４、ポンプ（起泡器）５がそれぞれ配設されている。ポンプ５の排気口と水槽２の底面に敷設されたエアーストーン５２とはエアーチューブ５１で接続され、ポンプから送り出されたエアーはエアーストーン５２から細かい泡となって水中に噴出し水槽２中を上昇する。コンセント４はヒータなどの電気器具を付加的に使用する場合に用いられる。ここで使用するコンセントはコードコネクタであっても構わない。なお、蛍光灯３ａ，３ｂやコンセント４、ポンプ５はカバー１２を取り付けることによって外部から見えないようになっている。
【００１９】
電源コードＣから供給される電気は、箱体１１の外側壁に取り付けられたスイッチ６ａ，６ｂを介して不図示の電気コードによって蛍光灯３ａ，３ｂ、ポンプ５、コンセント４へ供給される。これによって、蛍光灯３ａ，３ｂはスイッチ６ａにより、ポンプ５とコンセント４とはスイッチ６ｂにより入切が可能となっている。この実施形態の照明装置では、コンセント４は、ポンプ５の入切を行うスイッチ６ｂによって同時に入切が行われるようになっているが、コンセント４専用のスイッチを別に設けてももちろん構わない。
【００２０】
この図の照明装置では、２本の蛍光灯３ａ，３ｂを水槽２の両外側部に設けているが、水槽２の周囲であれば蛍光灯の本数及び取付位置に限定はなく、例えば１本の蛍光灯を水槽２の一方の外側部あるいは上方に設けても構わない。また光源としては蛍光灯に限定されるものではなく、従来公知の光源を用いることができるが、装置の小型軽量化を図る観点からは安定器が不要なインバータ蛍光灯の使用が推奨される。
【００２１】
また、水槽２の背面壁２２と箱体１１の背面との間には若干の空間１５（図４に図示）が形成され、この空間１５の上方の箱体１１上面には水槽２の背面壁の横幅と同じかそれ以上の長さの帯状の開口１４（図１に図示）が形成されている。この開口１４に対して出入可能な支持板１３に背景画（不図示）を貼り付けて、背景画を水槽２の背面壁２２の後方に位置させることによって水槽２の背景に装飾を施すことができる。もちろん支持板１３を用いずに背景画をそのまま開口１４から水槽２の背面壁２２の後方に挿入しても構わない。また背景画の換わりに反射部材（不図示）を挿入し、水槽２の背面壁２２の後方に位置させれば、水槽２の正面壁２１から出射する光量が増加し、照度が高くなる。
【００２２】
水槽２は正面壁２１のみが前側に突出した曲面形状で、その他の壁は平板形状である。水槽２の上壁は取り外し可能な上蓋２３となっており、この上蓋２３を取り外して水槽内の掃除や水の取り替えが行える。水槽２はアクリル樹脂やガラスなどの透光性材料によって構成されている。
【００２３】
水槽２の筺体１への取り付けは例えば次のようにして行う。図１に示すように、水槽２の外底面の奥側に下方に延出した突起２４を形成すると共に、上蓋２３の両奥角に切り欠き２５ａ，２５ｂを形成する。そして、図３に示すように、箱体１１に形成された仕切板１９の切欠部１９１に、水槽２底面の突起２４が係合するように、カバー１２の開口部１２１（図１に図示）に水槽２を填め入れる。そして、箱体１１の上面に取り付けた留め用ネジ１８ａ，１８ｂ（図１及び図３に図示）を回すことによってその先端を箱体１１の内部へ突出させ、さらに上蓋２３の切り欠き２５ａ，２５ｂを通って水槽２内にまで進入させる。これによって、筺体１から前方へ水槽２が抜け落ちることが確実に防止される。
【００２４】
水槽２の両外側面に取り付けられた蛍光灯３ａ，３ｂから出射した光は、水槽２を通り抜けて正面壁２１から外方へ出射する。このときの光が進む経路の一例を図４に示す。図４は装置の水平断面図である。本発明で使用する水槽２は正面壁２１が前側に突出した曲面形状であるため、直方体形状の水槽の比べ、出射光の平面視中央部への指向性が高くなる。また、水槽２の背面に背景画を取り付けた場合、水槽２が凸レンズの役割を果たし背景画が拡大される。加えて、ポンプ５によって水槽２内に気泡を発生させると、水槽２内の水が流動し水槽２内を通り抜けた光の揺らぎが大きくなる。また気泡が水槽内を上昇していく様子そのものが見る者に審美性を与える。
【００２５】
また本発明の照明装置に水槽２内に水中動物や水中植物を飼育及び栽培し、装飾的効果を付加しても構わない。このような水中動植物を飼育・栽培するために必要によりヒータや空気供給器を取り付けてもよい。空気供給器としては前述のポンプ５を利用すればよい。またヒータの電源はコンセント４から得ればよい。
【００２６】
また本発明の照明装置は、室内の壁面に取り付けたり床面に立設して使用する。照明装置を壁面に取り付けるためには、例えば箱体の背面外側に係合穴（取り付け部）を形成しておき、壁面に取り付けられたネジなどの突起物に係合穴を係合させることにより行うことができる。具体的は図５及び図６に示すように、丸穴１６ａと丸穴の上部に丸穴の直径よりも小さい幅の長方形状の切り欠き部１６ｂとからなる係合穴１６を箱体１１の背面壁に設けると共に、壁面７にネジ釘７１を取り付ける。そしてネジ釘７１の頭部７１ａを係合穴１６の丸穴１６ａに差入れる（図６（ａ））。その後照明装置を自重によってゆっくりと下方に移動させると、係合穴１６も下方に移動し、ネジ釘７１が係合穴１６の切り欠き部１６ｂの上内面に当接して照明装置はネジ釘７１で支持されるようになる（図６（ｂ））。また、ネジ釘７１の頭部７１ａが切り欠き部１６ｂの幅よりも大きいので、照明装置に上向きの外力が加わらない限りネジ釘７１と係合穴１６との係合状態が解除されることはなく、照明装置は安定して室内の壁面７に固定される。ネジ釘７１が係合穴１６の切り欠き部１６ｂの上内面に当接している状態でねじ釘７１をさらに締めつけると、照明装置に上向きの外力が加わってもネジ釘７１と係合穴１６との係合状態は解除されず、照明装置の壁面７への固定がより強固なものとなる。もちろん、金属鎖や紐を用いて照明装置を壁面に吊り下げても構わない。
【００２７】
一方、照明装置を床面に立設するには、台座を別途設け、この台座に取り付けるようにするのが望ましい。このような台座の一例を図７に示す。図７の台座８は円板形状の基部８１に棒状の支持部８２が垂設されてなる。この支持部８２の上部を、箱体１１背面の下端中央に形成された断面半円状の溝部（係合部）１７に係合させ、溝部１７からはみ出した支持部８２の外周部分に略Ｕ字状の留め具９を当てる。そして、この留め具９を箱体１１にネジ９１ａ，９１ｂで固定することによって支持部材８２を箱体１１にしっかりと固定できる。反対に、照明装置を台座８から外す場合には、留め具９を箱体１１から外し、台座８の支持部８２を溝部１７から外せばよい。
【００２８】
もちろん、照明装置の台座８への固定方法はこれに限定されるものではなく、例えば箱体１１の底面に有底穴を形成しておき、この有底穴に台座の支持部８２を挿入することによって照明装置を台座に固定してもよい。
【図面の簡単な説明】
【００２９】
【図１】本発明に係る照明装置の一例を示す斜視図である。
【図２】図１の照明装置の内部構造を示す正面図である。
【図３】水槽の筺体への取り付けを示す概説図である。
【図４】図１の照明装置の光の出射状態を示す水平断面図である。
【図５】照明装置の室内壁への取り付けを説明するための斜視図である。
【図６】照明装置の室内壁への取り付け状態を説明するための背面図である。
【図７】照明装置の台座への取り付けを説明する斜視図である。
【符号の説明】
【００３０】
１    筺体
２    水槽
３ａ，３ｂ    蛍光灯（光源）
５    ポンプ（起泡器）
６    ヒータ
８    台座
１１    箱体
１２    カバー
１３    支持板
１４    開口
１５    空間
１６    係合穴（取り付け部）
１７    溝部（係合部）
２１    正面壁
２２    背面壁
２３    上蓋
２４    突起
１２１    開口部
【図１】
2005347093.tif 000003
【図２】
2005347093.tif 000004
【図３】
2005347093.tif 000005
【図４】
2005347093.tif 000006
【図５】
2005347093.tif 000007
【図６】
2005347093.tif 000008
【図７】
2005347093.tif 000009